(57)【要約】【課題】小型化しやすい非常灯機能付きＬＥＤ照明装置を提供する。【解決手段】通常用電源で駆動される複数の通常用ＬＥＤ１１と，通常用電源からの給電が停止したときに作動する非常用電源で駆動される，複数でかつ通常用ＬＥＤ１１の個数より少数の非常用ＬＥＤ１３とを混在させて通常時および非常時共通の照光面１４を構成する。非常用ＬＥＤ１３は，通常用ＬＥＤ１１を兼ねるようにすることができる。複数個の非常用ＬＥＤ１３は，非常時に照光面１４において，記号および／または文字を表示するようにすることもできる。【選択図】図１
2012014897.tif 000002
【特許請求の範囲】
【請求項１】
通常用電源で駆動される複数の通常用ＬＥＤと，前記通常用電源からの給電が停止したときに作動する非常用電源で駆動される，複数でかつ前記通常用ＬＥＤの個数より少数の非常用ＬＥＤとを混在させて通常時および非常時共通の照光面を構成したことを特徴とする非常灯機能付きＬＥＤ照明装置。
【請求項２】
前記非常用ＬＥＤは，前記通常用ＬＥＤを兼ねていることを特徴とする請求項１記載の非常灯機能付きＬＥＤ照明装置。
【請求項３】
前記複数個の非常用ＬＥＤは，非常時に前記照光面において，記号および／または文字を表示することを特徴とする請求項１または２記載の非常灯機能付きＬＥＤ照明装置。
【発明の詳細な説明】
【技術分野】
【０００１】
本発明は，非常灯機能付きＬＥＤ照明装置に関する。すなわち，ＬＥＤ（Ｌｉｇｈｔ  Ｅｍｉｔｔｉｎｇ  Ｄｉｏｄｅ：発光ダイオード）を用いた，非常灯（予備灯）としての機能を備えたＬＥＤ照明装置に関するものである。
【背景技術】
【０００２】
従来の非常灯機能付き照明装置として，例えば特許文献１に見られるような「エレベータの非常灯装置」が知られている。
同文献の符号を借りて説明すると，この装置は，通常用電源（５）で駆動される照明ランプ（４）と，前記通常用電源（５）からの給電が停止したときに作動する非常用電源（補助電源（８））で駆動される，複数の非常用ＬＥＤ（１３）からなる非常灯（図１においては符号６，図２等においては符号１１）とを備えている。
【０００３】
この装置は，通常時にあっては照明ランプ（４）が点灯し，停電時（非常時）にあっては複数の非常用ＬＥＤ（１３）からなる非常灯（６，１１）が点灯する。
この装置によると，非常灯（６，１１）がＬＥＤ（１３）で構成されているので，非常時における消費電力を低減させることができる。
【０００４】
しかし，この従来の装置は，通常時に点灯する照明ランプ（４）と，非常時に点灯する非常灯（６，１１）とが独立別個に構成されているため，装置が大型化しやすいという難点がある。
【先行技術文献】
【特許文献】
【０００５】
【特許文献１】特開２００３−３３５４８１号公報
【発明の概要】
【発明が解決しようとする課題】
【０００６】
本発明が解決しようとする課題は，小型化しやすい非常灯機能付きＬＥＤ照明装置を提供することである。
【課題を解決するための手段】
【０００７】
上記課題を解決するために，本発明の非常灯機能付きＬＥＤ照明装置は，通常用電源で駆動される複数の通常用ＬＥＤと，前記通常用電源からの給電が停止したときに作動する非常用電源で駆動される，複数でかつ前記通常用ＬＥＤの個数より少数の非常用ＬＥＤとを混在させて通常時および非常時共通の照光面を構成したことを特徴とする。
【０００８】
この非常灯機能付きＬＥＤ照明装置によれば，通常時にあっては通常用電源で複数の通常用ＬＥＤが点灯し，非常時にあっては非常用電源で複数かつ通常用ＬＥＤの個数より少数の非常用ＬＥＤが点灯する。通常用，非常用いずれの場合も，照明は複数のＬＥＤによって得られるので，ＬＥＤの個数を調整することで所望の照度を容易に得ることができ，白熱灯や蛍光灯に比べて，低電力で所望の照度を得ることができる。
また，非常用ＬＥＤの個数は通常用ＬＥＤの個数よりも少数であるので，非常時における省電力化を図ることができる。
【０００９】
そして，この発明に係る装置によると，複数の通常用ＬＥＤと複数の非常用ＬＥＤとが混在して通常時および非常時共通の照光面が構成されているので，複数の通常用ＬＥＤと複数の非常用ＬＥＤとは独立別個ではなくなる。したがって，従来装置に比べて装置を小型化しやすくなる。
しかも，複数の通常用ＬＥＤと複数の非常用ＬＥＤとを混在させて通常時および非常時共通の照光面を構成することにより，通常用照明手段（複数のＬＥＤ）と非常用照明手段（複数のＬＥＤ）とを備えているにもかかわらず，照度むらを生じ難くするとともにデザイン上の自由度を向上させることができる。
【００１０】
望ましくは，前記非常用ＬＥＤは，前記通常用ＬＥＤを兼ねている構成とする。
このようにすると，装置をさらに小型化しやすくなる。
【００１１】
また望ましくは，前記複数個の非常用ＬＥＤは，非常時に前記照光面において，記号および／または文字を表示する構成とする。
このようにすると，非常時に，照光面を見る人にメッセージを伝達することが可能になる。
【図面の簡単な説明】
【００１２】
【図１】本発明に係る非常灯機能付きＬＥＤ照明装置の一実施の形態を示す図で，（ａ）は正面図，（ｂ）は底面図。
【図２】同照明装置の駆動回路の一例を示す回路図。
【図３】（ａ）〜（ｆ）は照光面の説明図。
【図４】（ａ）は比較例の底面図，（ｂ）はその照光面の説明図。
【図５】駆動回路３０の変形例を示す回路図。
【図６】駆動回路３０のさらなる変形例を示す回路図。
【図７】非常灯機能付きＬＥＤ照明装置１０を複数連結して駆動する場合の駆動回路３０の例を示す回路図。
【図８】駆動回路３０のさらなる変形例を示す回路図。
【図９】本発明に係る非常灯機能付きＬＥＤ照明装置の他の実施の形態を示す図で，（ａ）底面図，（ｂ）はその照光面の説明図。
【図１０】本発明に係る非常灯機能付きＬＥＤ照明装置の他の実施の形態を示す図で，（ａ）底面図，（ｂ）はその照光面の説明図。
【図１１】本発明に係る非常灯機能付きＬＥＤ照明装置の他の実施の形態を示す図で，（ａ）底面図，（ｂ）はその照光面の説明図。
【図１２】通常用ＬＥＤ１１および非常用ＬＥＤ１３の実装例を示す概略断面図。
【発明を実施するための形態】
【００１３】
以下，本発明に係る非常灯機能付きＬＥＤ照明装置の実施の形態について図面を参照して説明する。
図１は本発明に係る非常灯機能付きＬＥＤ照明装置の一実施の形態を示す図で，（ａ）は正面図，（ｂ）は底面図である。図２は同照明装置の駆動回路の一例を示す回路図である。
【００１４】
これらの図に示すように，この非常灯機能付きＬＥＤ照明装置１０は，通常用電源２０で駆動される複数の通常用ＬＥＤ１１，１１，・・・と，通常用電源２０からの給電が停止したときに作動する非常用電源１２で駆動される，複数でかつ通常用ＬＥＤ１１の個数より少数の非常用ＬＥＤ１３，１３，・・・とを混在させて通常時および非常時共通の照光面１４を構成してある。
通常用ＬＥＤ１１と非常用ＬＥＤ１３は同一のＬＥＤで構成することができるため，図１（ｂ）において両者をそのままの形状で描くと区別しにくくなる。そこで，説明の便宜上，図１（ｂ）において，非常用ＬＥＤ１３については二重丸で描いてある。他の図面についても同様である。
【００１５】
この実施の形態では図１（ｂ）に示すように，通常用ＬＥＤ１１は２つのリング状に計４８個，中央部に５個配置し，非常用ＬＥＤ１３は，リング状に配置した通常用ＬＥＤ１１の内側において同心状に計１２個配置してあるが，通常用ＬＥＤ１１の個数は３個以上であれば適宜設定でき，非常用ＬＥＤ１３の個数は２個以上かつ通常用ＬＥＤ１１の個数より少数の範囲で適宜設定できる。また，これらＬＥＤ１１，１３の配置パターンも任意である。配置パターンの他の例については後述するが，それらのパターンに限定されるものではない。
【００１６】
このような非常灯機能付きＬＥＤ照明装置１０によれば，通常時にあっては通常用電源２０で複数の通常用ＬＥＤ１１が点灯し，非常時にあっては非常用電源１２で複数かつ通常用ＬＥＤの個数より少数の非常用ＬＥＤ１３が点灯する。通常用，非常用いずれの場合も，照明は複数のＬＥＤによって得られるので，ＬＥＤの個数を調整することで所望の照度を容易に得ることができ，白熱灯や蛍光灯に比べて，低電力で所望の照度を得ることができる。
また，非常用ＬＥＤ１３の個数は通常用ＬＥＤ１１の個数よりも少数であるので，非常時における省電力化を図ることができる。
【００１７】
そしてこの実施の形態の非常灯機能付きＬＥＤ照明装置１０によると，複数の通常用ＬＥＤ１１と複数の非常用ＬＥＤ１３とが混在して通常時および非常時共通の照光面１４が構成されているので，複数の通常用ＬＥＤ１１と複数の非常用ＬＥＤ１３とは独立別個ではなくなる。したがって，従来装置に比べて装置１０を小型化しやすくなる。
しかも，複数の通常用ＬＥＤ１１と複数の非常用ＬＥＤ１３とを混在させて通常時および非常時共通の照光面１４を構成することにより，通常用照明手段（複数のＬＥＤ１１）と非常用照明手段（複数のＬＥＤ１３）とを備えているにもかかわらず，照度むら（照明むら）を生じ難くするとともにデザイン上の自由度を向上させることができる。
【００１８】
この点について詳しく説明するために，「複数の通常用ＬＥＤと複数の非常用ＬＥＤとを混在させて通常時および非常時共通の照光面を構成する」ことの意義について説明する。
本願において，複数のＬＥＤで構成される照光面とは，当該複数のＬＥＤの最も外側を連ねた輪郭線（当該複数のＬＥＤの配置領域の外殻線としての輪郭線）で囲まれた面を意味する。
【００１９】
図１（ｂ）に示した非常灯機能付きＬＥＤ照明装置１０を例にとって，図３を参照して説明すると，複数の通常用ＬＥＤ１１で構成される照光面（通常用照光面）１１ｓ（図３（ｂ））は，当該複数のＬＥＤ１１の最も外側を連ねた一点鎖線で示す輪郭線１１ｃ（図３（ａ））で囲まれた面（図３（ｂ）の斜線部）である。
【００２０】
同様に，複数の非常用ＬＥＤ１３で構成される照光面（非常用照光面）１３ｓ（図３（ｄ））は，当該複数のＬＥＤ１３の最も外側を連ねた一点鎖線で示す輪郭線１３ｃ（図３（ｃ））で囲まれた面（図３（ｄ）の斜線部）である。
【００２１】
そして，本願において「複数の通常用ＬＥＤと複数の非常用ＬＥＤとを混在させて通常時および非常時共通の照光面を構成する」という意味は，複数の通常用ＬＥＤで構成される通常用照光面（１１ｓ）と複数の非常用ＬＥＤで構成される非常用照光面（１３ｓ）とを，少なくとも一部において重複させる，という意味である。
図１，図３に示した例では，図３（ｅ）（ｆ）に示すように，複数の通常用ＬＥＤ１１で構成される通常用照光面１１ｓと複数の非常用ＬＥＤ１３で構成される非常用照光面１３ｓとが，非常用照光面１３ｓ部分（クロスハッチ部分）において重複している。
【００２２】
したがって例えば，図４に比較例として示した非常灯機能付きＬＥＤ照明装置１００のように，複数の通常用ＬＥＤ１１で構成される通常用照光面１１ｓと，複数の非常用ＬＥＤ１３で構成される非常用照光面１３ｓとが全く重複しないものは，「複数の通常用ＬＥＤと複数の非常用ＬＥＤとを混在させて通常時および非常時共通の照光面を構成する」ものであるとは言えない。
【００２３】
この実施の形態の非常灯機能付きＬＥＤ照明装置１０によれば，複数の通常用ＬＥＤ１１と複数の非常用ＬＥＤ１３とが混在して通常時および非常時共通の照光面１４が構成されているので，例えば前述した従来例や図４に示した比較例の装置１００と比較すれば明らかなように，複数の通常用ＬＥＤ１１と複数の非常用ＬＥＤ１３とは独立別個ではなくなる。したがって，従来装置や比較例の装置１００に比べて装置１０を小型化しやすくなる。
【００２４】
また，従来装置や比較例の装置１００では，通常用照光面と非常用照光面とが独立していて重複していないため，通常時と非常時とで照度ムラ（照明ムラ）が生じやすいし，通常用照光面と非常用照光面とを独立させる必要があることから，デザイン上の自由度も制限される。
【００２５】
これに対し，この実施の形態の非常灯機能付きＬＥＤ照明装置１０によれば，複数の通常用ＬＥＤ１１と複数の非常用ＬＥＤ１３とを混在させて通常時および非常時共通の照光面１４を構成しているので，通常用照明手段（複数のＬＥＤ１１）と非常用照明手段（複数のＬＥＤ１３）とを備えているにもかかわらず，照度むら（照明むら）を生じ難くするとともにデザイン上の自由度を向上させることができる。
【００２６】
図１において，１５は非常灯機能付きＬＥＤ照明装置１０のケース（支持体）であり，このケース１５に通常用ＬＥＤ１１，非常用ＬＥＤ１３，およびその駆動回路３０が装着される。非常灯機能付きＬＥＤ照明装置１０は，ケース１５を適宜の手段で固定することにより，建物や船舶等の天井や壁面に取り付けることができる。
【００２７】
図２に示す照明装置の駆動回路３０は，通常用電源２０（例えばＡＣ１００Ｖ）に接続され，交流電源を直流電源とするダイオードブリッジ３２と，このダイオードブリッジ３２に接続されていて，通常用ＬＥＤ１１・・・を駆動する通常用ＬＥＤ駆動回路３１と，非常用電源１２（例えばバッテリ）と，この非常用電源１２にスイッチ３５を介して接続されていて，非常用ＬＥＤ１３・・・を駆動する非常用ＬＥＤ駆動回路３３と，前記ダイオードブリッジ３２に接続されていて，通常用電源２０からの給電，すなわちダイオードブリッジ３２からの給電の有無を検知していて，給電有り状態のときには前記スイッチ３５をオフ状態とし，給電無し状態のときには前記スイッチ３５をオン状態とする給電検出手段３４とを備えている。
【００２８】
図２において，通常用ＬＥＤ１１は４個だけ描いて他は省略してあるが，実際には，図１（ｂ）に示したものと同数接続されている。また，非常用ＬＥＤ１３は２個だけ描いて他は省略してあるが，実際には，図１（ｂ）に示したものと同数接続されている。
【００２９】
この駆動回路３０によると，通常用電源２０からの給電が得られているときは，給電検出手段３４の作動でスイッチ３５がオフ状態となり，通常用ＬＥＤ駆動回路３１によって通常用ＬＥＤ１１のみが駆動され，通常用ＬＥＤ１１による照明が得られる。
一方，停電等により通常用電源２０からの給電が停止すると，通常用ＬＥＤ１１による照明は得られなくなるが，給電検出手段３４の作動でスイッチ３５がオンし，非常用電源１２による電力で非常用ＬＥＤ駆動回路３３が作動し，非常用ＬＥＤ１３による照明が得られることとなる。
【００３０】
なお，ＬＥＤ駆動回路（３１，３３）の最も簡単な構成例は，抵抗をＬＥＤに直列接続する構成であるが，ＩＣ化された公知の定電流駆動回路で構成することもでき，その場合，電流検出抵抗でＬＥＤ駆動電流を決めることが出来る。
【００３１】
図５は駆動回路３０の変形例を示す回路図である。同図において，図２に示した駆動回路３０と同一部分には同じ符号を付してある。
図５に示す駆動回路３０は，非常用ＬＥＤ１３を通常用ＬＥＤ１１としても用いる（非常用ＬＥＤ１３が通常用ＬＥＤ１１を兼ねる）ことができるようにしたもので，通常用ＬＥＤ駆動回路３１で駆動される通常用ＬＥＤ１１・・・に対して非常用ＬＥＤ１３（兼通常用ＬＥＤ１１）・・・を直列に接続し，この非常用ＬＥＤ１３（兼通常用ＬＥＤ１１）・・・に対して非常用電源１２，スイッチ３５，および非常用ＬＥＤ駆動回路３３を並列に接続したものである。
【００３２】
この駆動回路３０によると，通常用電源２０からの給電が得られているときは，給電検出手段３４の作動でスイッチ３５がオフ状態となり，通常用ＬＥＤ駆動回路３１によって通常用ＬＥＤ１１および非常用ＬＥＤ１３（兼通常用ＬＥＤ１１）が駆動され，通常用ＬＥＤ１１および非常用ＬＥＤ１３（兼通常用ＬＥＤ１１）による照明，すなわち全てのＬＥＤによる照明が得られる。
一方，停電等により通常用電源２０からの給電が停止すると，通常用ＬＥＤ駆動回路３１の作動が停止し，したがって通常用ＬＥＤ１１による照明は得られなくなるが，給電検出手段３４の作動でスイッチ３５がオンし，非常用電源１２による電力で非常用ＬＥＤ駆動回路３３が作動し，非常用ＬＥＤ１３（兼通常用ＬＥＤ１１）による照明が得られることとなる。
【００３３】
このように，非常用ＬＥＤ１３が通常用ＬＥＤ１１を兼ねる構成にすると，装置１０をさらに小型化しやすくなる。
【００３４】
図６は駆動回路３０のさらなる変形例を示す回路図である。同図において，図５に示した駆動回路３０と同一部分には同じ符号を付してある。
図６に示す駆動回路３０が図５に示した駆動回路３０と異なる点は，図５における給電検出手段３４およびスイッチ３５に代え，トランジスタＱ１，Ｑ２を用いたスイッチング回路３６を構成し，しかも非常用電源１２をフローティング充電するようにした点にある。また，通常用ＬＥＤ１１の一部（図示のものは１個）１１’をトランジスタＱ２のコレクタを介して非常用ＬＥＤ１３に直列に接続してある。
【００３５】
この駆動回路３０によると，通常用電源２０からの給電が得られているときは，トランジスタＱ１がオン，トランジスタＱ２がＯＦＦ状態となっており，通常用ＬＥＤ駆動回路３１によって通常用ＬＥＤ１１，１１’および非常用ＬＥＤ１３（兼通常用ＬＥＤ１１）が駆動され，通常用ＬＥＤ１１，１１’および非常用ＬＥＤ１３（兼通常用ＬＥＤ１１）による照明が得られる。すなわち全てのＬＥＤが点灯する。また，非常用電源１２を，Ｅ点の電位より低い定格のバッテリで構成することにより，抵抗３７を通じてバッテリ１２が充電される。
【００３６】
一方，停電等により通常用電源２０からの給電が停止すると，通常用ＬＥＤ駆動回路３１の作動が停止してその出力が無くなるので通常用ＬＥＤ１１による照明は得られなくなるが，トランジスタＱ１がＯＦＦになり，非常用電源１２からの電位でトランジスタＱ２がＯＮになる。これにより，トランジスタＱ２によって，非常用ＬＥＤ１３に直列に接続した通常用ＬＥＤ１１の一部（図示のものは１個）１１’がショートされ，Ｅ点の電位は非常用ＬＥＤ１３の個数分となり，非常用電源１２の電力で非常用ＬＥＤ１３（兼通常用ＬＥＤ１１）が点灯する。
この回路によれば，バッテリ１２側には逆流防止のダイオードは不要である。また，バッテリ１２の電圧は，トランジスタＱ２でショートする通常用ＬＥＤ１１’の数を増やせば電圧の選定は自由度が増す。
なお，トランジスタＱ２のコレクタには電流制限用の抵抗を挿入し，非常時の電流を抑えることも出来る。
【００３７】
図７は，非常灯機能付きＬＥＤ照明装置１０を複数連結して駆動する場合の駆動回路３０の例を示す回路図である。
図示の回路では，給電検出手段３４およびスイッチ３５を用いているが，これに代えて上述したスイッチング回路３６と同様のスイッチング回路を用いることができる。また，非常灯機能付きＬＥＤ照明装置１０の非常用ＬＥＤ１３同士は直列接続の例を示したが並列としてもよい。また，図示のものは，２つの非常灯機能付きＬＥＤ照明装置１０を連結する場合を示しているが，３つ以上の場合も同様に構成することができる。
【００３８】
図８は駆動回路３０のさらなる変形例を示す回路図である。同図において，上述した駆動回路と同一部分には同じ符号を付してある。
この駆動回路３０の特徴は，ダイオードブリッジ３２に接続したＤＣ／ＤＣコンバータ３８で通常用ＬＥＤ１１および非常用ＬＥＤ１３の駆動回路を構成するとともに，ＤＣ／ＤＣコンバータ３８で，トランジスタＱ３，Ｑ４を有する定電流形の充電回路３９および逆流防止ダイオード４０を介してバッテリからなる非常用電源１２を充電するようにした点にある。
【００３９】
この駆動回路３０によると，通常用電源２０からの給電が得られているときは，トランジスタＱ１がＯＮ，トランジスタＱ２がＯＦＦ状態となっており，ＤＣ／ＤＣコンバータ３８によって通常用ＬＥＤ１１のみが駆動され，通常用ＬＥＤ１１による照明が得られる。また，充電回路３９および逆流防止ダイオード４０を介して非常用電源（バッテリ）１２が充電される。
【００４０】
一方，停電等により通常用電源２０からの給電が停止すると，ＤＣ／ＤＣコンバータ３８の作動が停止してその出力が無くなるので通常用ＬＥＤ１１による照明は得られなくなるが，トランジスタＱ１がＯＦＦになり，非常用電源１２からの電位でトランジスタＱ２がＯＮになる。これにより，非常用電源１２の電力で非常用ＬＥＤ１３が点灯する。この際，非常用電源１２からＬＥＤにかかる電圧は通常時より低いので通常用ＬＥＤ１１は点灯しない。なお，通常用ＬＥＤ１１の列にも制御用（スイッチ用）のトランジスタを接続するなどの手段を用いることにより，非常時における通常用ＬＥＤ１１の点灯を防止することができる。また，図６に示した回路のように通常用ＬＥＤ１１のいくつかを非常用として共用するには，トランジスタＱ２のコレクタを通常用ＬＥＤ１１群の適当なところに抵抗を介して接続すればよい。
【００４１】
図９は本発明に係る非常灯機能付きＬＥＤ照明装置の他の実施の形態を示す図で，（ａ）底面図，（ｂ）はその照光面の説明図である。図９において，上述した実施の形態と同一部分ないし相当する部分には同一の符号を付してある。
この実施の形態の特徴は，複数個の非常用ＬＥＤ１３で，非常時に照光面１４において，記号を表示する構成とした点にある。
【００４２】
図示の記号は矢印であるが，複数の非常用ＬＥＤ１３をドット表示的に配置することで任意の記号を構成することができる。
この実施の形態の非常用ＬＥＤ１３は，通常用ＬＥＤ１１を兼ねているので，駆動回路３０としては，図５または図６に示したものを利用する。
この実施の形態によれば，非常時に，非常用ＬＥＤ１３によって非常灯機能が得られるとともに，非常用ＬＥＤ１３によって記号（この場合矢印）のみが表示されるので，照光面を見る人にメッセージ，例えば非常口が矢印方向にある旨のメッセージを伝達することが可能になる。
【００４３】
なお，この実施の形態の場合，複数の通常用ＬＥＤ１１の最も外側を連ねた一点鎖線で示す輪郭線１１ｃで囲まれた通常用照光面１１ｓと，複数の非常用ＬＥＤ１３の最も外側を連ねた一点鎖線で示す輪郭線１３ｃで囲まれた非常用照光面１３ｓとが，非常用照光面１３ｓ部分（図（ｂ）におけるクロスハッチ部分）において重複している。
【００４４】
図１０は本発明に係る非常灯機能付きＬＥＤ照明装置の他の実施の形態を示す図で，（ａ）底面図，（ｂ）はその照光面の説明図である。図１０において，上述した実施の形態と同一部分ないし相当する部分には同一の符号を付してある。
この実施の形態の特徴は，複数個の非常用ＬＥＤ１３で，非常時に照光面１４において，文字を表示する構成とした点にある。
【００４５】
図示の文字は「ＥＸＩＴ」であるが，複数の非常用ＬＥＤ１３をドット表示的に配置することで任意の文字を構成することができる。
この実施の形態の非常用ＬＥＤ１３は，通常用ＬＥＤ１１を兼ねているので，駆動回路３０としては，図５または図６に示したものを利用する。
この実施の形態によれば，非常時に，非常用ＬＥＤ１３によって非常灯機能が得られるとともに，非常用ＬＥＤ１３によって文字（この場合「ＥＸＩＴ」）のみが表示されるので，照光面を見る人にメッセージ，例えば非常口の位置を伝達することが可能になる。
【００４６】
なお，この実施の形態の場合，複数の通常用ＬＥＤ１１の最も外側を連ねた一点鎖線で示す輪郭線１１ｃで囲まれた通常用照光面１１ｓと，複数の非常用ＬＥＤ１３の最も外側を連ねた一点鎖線で示す輪郭線１３ｃで囲まれた非常用照光面１３ｓとが，非常用照光面１３ｓ部分（図（ｂ）におけるクロスハッチ部分）において重複している。
図９，図１０に示した実施の形態では記号と文字とをそれぞれ別に表示する場合を例示したが，記号と文字とを組み合わせて表示することも可能である。
【００４７】
図１２は通常用ＬＥＤ１１および非常用ＬＥＤ１３の実装例を示す概略断面図である。図１２において，上述した実施の形態と同一部分ないし相当する部分には同一の符号を付してある。
同図において，５０は，駆動回路３０を構成する回路基板であり，この回路基板５０の一面（図示のものでは下面）に複数個の通常用ＬＥＤ１１と，複数個の非常用ＬＥＤ１３と，それらＬＥＤの駆動回路３１，３３を構成するＩＣ５１とが実装されている。
回路基板５０の他面（図示のものでは上面）には，通常用ＬＥＤ１１，非常用ＬＥＤ１３共用の放熱板５２が接合されている。この放熱板５２は，発熱する通常用ＬＥＤ１１および非常用ＬＥＤ１３の熱を放熱するためのもので，回路基板５０に密着させた金属板等で構成することができる。
【００４８】
通常用ＬＥＤ１１用の放熱板と非常用ＬＥＤ１３用の放熱板とを単一の放熱板５２で共用することにより，非常灯機能付きＬＥＤ照明装置１０を一層小型化しやすくなる。
また，非常時には，通常時よりも少数のＬＥＤ１３に対して共用の放熱板５２が設けられた状態となるため，より良好な放熱状態が得られる。
【００４９】
以上，本発明の実施の形態について説明したが，本発明は上記の実施の形態に限定されるものではなく，本発明の要旨の範囲内において適宜変形実施可能である。
例えば，図１１に示すように，照光面１４は，複数の通常用ＬＥＤ１１と非常用ＬＥＤ１３とを直線的に配置して構成することもできる。この場合，複数の通常用ＬＥＤ１１の最も外側を連ねた一点鎖線で示す輪郭線１１ｃで囲まれた通常用照光面１１ｓと，複数の非常用ＬＥＤ１３の最も外側を連ねた一点鎖線で示す輪郭線１３ｃで囲まれた非常用照光面１３ｓとが，非常用照光面１３ｓ部分（図（ｂ）におけるクロスハッチ部分）において重複している。
【００５０】
また，照光面１４は，レンズつきの複数のＬＥＤ群（通常用ＬＥＤ１１および非常用ＬＥＤ１３）をそのまま保護カバーで覆って構成することもできるし，カラーフィルタ・レンズや拡散板などで覆って構成することもできる。
【符号の説明】
【００５１】
１０    非常灯機能付きＬＥＤ照明装置
１１    通常用ＬＥＤ
１２    非常用電源
１３    非常用ＬＥＤ
１４    照光面
２０    通常用電源
【図１】
2012014897.tif 000003
【図２】
2012014897.tif 000004
【図３】
2012014897.tif 000005
【図４】
2012014897.tif 000006
【図５】
2012014897.tif 000007
【図６】
2012014897.tif 000008
【図７】
2012014897.tif 000009
【図８】
2012014897.tif 000010
【図９】
2012014897.tif 000011
【図１０】
2012014897.tif 000012
【図１１】
2012014897.tif 000013
【図１２】
2012014897.tif 000014